【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
チップが搭載される搭載部と、
搭載されるチップを外部に電気的に連結する端子部と、
前記搭載部及び前記端子部を連結しつつ、チップが搭載された後で切断される複数の切断部と、を含み、
前記端子部は、第１締結部が設けられた第１形状端子と、前記第１締結部に相補的に結合することができる第２締結部が設けられた第２形状端子と、を含むことを特徴とするチップ・パッケージ用リードフレーム。
【請求項２】
チップと、
前記チップが搭載される搭載部、及び前記チップを外部に電気的に連結する端子部を含むリードフレームと、を含み、
前記端子部は、第１締結部が設けられた第１形状端子と、前記第１締結部と相補的に結合することができる第２締結部が設けられた第２形状端子と、を含むことを特徴とするチップ・パッケージ。
【請求項３】
前記チップは、複数の発光素子チップを含み、
前記搭載部は、複数の発光素子チップが搭載されるように複数個設けられ、
前記リードフレームは、前記複数の発光素子チップを回路連結する複数の連結部を含むことを特徴とする請求項２に記載のチップ・パッケージ。
【請求項４】
前記複数の連結部は、前記複数の発光素子チップ間を電気的に直列連結する中間連結部と、前記複数の発光素子チップのうち直列回路の前端に位置した発光素子チップの第１電極に電気的に連結される第１連結部と、前記複数の発光素子チップのうち直列回路の後端に位置した発光素子チップの第２電極に電気的に連結される第２連結部と、を含み、
前記端子部は、前記第１連結部から延設された第１端子と、前記第２連結部から延設された第２端子と、を含み、
前記複数の発光素子チップは、一列に配列されたことを特徴とする請求項３に記載のチップ・パッケージ。
【請求項５】
前記第１端子は、前記複数の発光素子チップの一列配列の前端側の第１前端子と、前記複数の発光素子チップの一列配列の後端側の第１後端子と、を含み、
前記第２端子は、前記複数の発光素子チップの一列配列の前端側の第２前端子と、前記複数の発光素子チップの一列配列の後端側の第２後端子と、を含み、
前記連結部は、前記複数の発光素子の一列配列の一側に沿って前記第１連結部から前記第１後端子に延設された第１延長部と、前記複数の発光素子の一列配列の他側に沿って、前記第２連結部から前記第２前端子に延設された第２延長部と、を含むことを特徴とする請求項４に記載のチップ・パッケージ。
【請求項６】
前記第１前端子及び前記第１後端子は、それぞれ第１形状端子及び第２形状端子であり、前記第２前端子及び前記第２後端子は、それぞれ第１形状端子及び第２形状端子であることを特徴とする請求項５に記載のチップ・パッケージ。
【請求項７】
前記第１前端子及び前記第１後端子は、それぞれ第１形状端子及び第２形状端子であり、前記第２前端子及び前記第２後端子は、それぞれ第２形状端子及び第１形状端子であることを特徴とする請求項５に記載のチップ・パッケージ。
【請求項８】
前記第１延長部の外側に、少なくとも１つの第３締結部が設けられ、
前記第２延長部の外側に、前記少なくとも１つの第３締結部と相補的に結合することができる少なくとも１つの第４締結部が設けられたことを特徴とする請求項５に記載のチップ・パッケージ。
【請求項９】
第１チップ・パッケージと第２チップ・パッケージとを含むパッケージ・モジュールにおいて、
前記第１チップ・パッケージ及び第２チップ・パッケージのそれぞれは、チップと、該チップが搭載される搭載部及び前記チップを外部に電気的に連結する端子部を含むリードフレームと、を具備し、
前記端子部は、第１締結部が設けられた第１形状端子と、前記第１締結部と相補的に結合することができる第２締結部が設けられた第２形状端子と、を含み、前記第１チップ・パッケージの第１形状端子は、前記第２チップ・パッケージの第２形状端子に電気的に連結されつつ相補的に結合することを特徴とするパッケージ・モジュール。
【請求項１０】
第１チップ・パッケージと第２チップ・パッケージとを含むパッケージ・モジュールと、
前記パッケージ・モジュールに電源を供給する電源供給部と、を含み、
前記第１チップ・パッケージ及び第２チップ・パッケージのそれぞれは、チップと、該チップが搭載される搭載部及び前記チップを外部に電気的に連結する端子部を含むリードフレームと、を具備し、
前記端子部は、第１締結部が設けられた第１形状端子と、前記第１締結部と相補的に結合することができる第２締結部が設けられた第２形状端子と、を含み、前記第１チップ・パッケージの第１形状端子は、前記第２チップ・パッケージの第２形状端子に電気的に連結されつつ相補的に結合することを特徴とする照明装置。
【手続補正２】
【補正対象書類名】明細書
【補正対象項目名】００１５
【補正方法】変更
【補正の内容】
【００１５】
他の類型によるチップ・パッケージは、チップと、チップが搭載される搭載部、及びチップを外部に電気的に連結する端子部を含むリードフレームと、を含み、端子部は、第１締結部が設けられた第１形状端子と、第１締結部と相補的に結合することができる第２締結部が設けられた第２形状端子と、を含む。
【手続補正３】
【補正対象書類名】明細書
【補正対象項目名】００２０
【補正方法】変更
【補正の内容】
【００２０】
複数の連結部は、複数の発光素子チップ間を電気的に直列連結する中間連結部と、複数の発光素子チップのうちから直列回路の前端に位置した発光素子チップの第１電極に電気的に連結される第１連結部と、複数の発光素子チップのうちから直列回路の後端に位置した発光素子チップの第２電極に電気的に連結される第２連結部と、を含み、
前記複数の発光素子チップは、一列に配列されることができる。
【手続補正４】
【補正対象書類名】明細書
【補正対象項目名】００２１
【補正方法】変更
【補正の内容】
【００２１】
第１端子は、複数の発光素子チップの一列配列の前端側の第１前端子と、複数の発光素子チップの一列配列の後端側の第１後端子と、を含み、第２端子は、複数の発光素子チップの一列配列の前端側の第２前端子と、複数の発光素子チップの一列配列の後端側の第２後端子と、を含み、連結部は、複数の発光素子の一列配列の一側に沿って、第１連結部から第１後端子に延設された第１延長部と、複数の発光素子の一列配列の他側に沿って、第２連結部から第２前端子に延設された第２延長部と、を含むことができる。
【手続補正５】
【補正対象書類名】明細書
【補正対象項目名】００４３
【補正方法】変更
【補正の内容】
【００４３】
さらに他の類型によるパッケージ・モジュールは、第１チップ・パッケージと第２チップ・パッケージとを含むものであり、第１チップ・パッケージ及び第２チップ・パッケージのそれぞれは、チップと、チップが搭載される搭載部及びチップを外部に電気的に連結する端子部を含むリードフレームと、を具備し、端子部は、第１締結部が設けられた第１形状端子と、第１締結部と相補的に結合することができる第２締結部が設けられた第２形状端子と、を含み、第１チップ・パッケージの第１形状端子は、第２チップ・パッケージの第２形状端子に電気的に連結されつつ相補的に結合する。
【手続補正６】
【補正対象書類名】明細書
【補正対象項目名】００５７
【補正方法】変更
【補正の内容】
【００５７】
さらに他の類型による照明装置は、第１チップ・パッケージと第２チップ・パッケージとを含むパッケージ・モジュールと、パッケージ・モジュールに電源を供給する電源供給部と、を含み、
第１チップ・パッケージ及び第２チップ・パッケージのそれぞれは、チップと、チップが搭載される搭載部及び前記チップを外部に電気的に連結する端子部を含むリードフレームと、を具備し、
前記端子部は、第１締結部が設けられた第１形状端子と、前記第１締結部と相補的に結合することができる第２締結部が設けられた第２形状端子と、を含み、前記第１チップ・パッケージの第１形状端子は、前記第２チップ・パッケージの第２形状端子に電気的に連結されつつ相補的に結合する。